(57)【要約】      （修正有）【課題】還元電位が大きく、弱アルカリ性で、水分子クラスターの微細な活性水蒸気を発生できるミストサウナ装置を低コストで提供する。【解決手段】３２〜３８テラヘルツの共鳴電磁波を放射するジュエリー１２を、ミスト発生用水２２に入れ、発生するミスト自体を３２〜３８テラヘルツの共鳴電磁波の転写体とする。活性ミスト２４は、チューブ２５を通ってミストサウナ室２７の吹き出し口２６から、ミストサウナ室に吹き出され、充満され、室内の人体２８に接触する。【選択図】図３
0003212668.tif 000002
【実用新案登録請求の範囲】
【請求項１】
ミストサウナ装置であって、ミストサウナ用水の入った容器を備え、３２〜３８テラヘルツの共鳴電磁波を、２〜１２時間、２０℃〜９０℃の温度条件下で、ケイ素を主成分とするジュエリーに照射することで、当該ジュエリー自体を当該共鳴電磁波の転写放射体としたミストサウナ用水活性用ジュエリーを当該容器に入れたミストサウナ装置。
【考案の詳細な説明】
【技術分野】
【０００１】  本考案は、３２〜３８テラヘルツの共鳴電磁波を放射するジュエリーを、ミスト発生用水に入れ、発生するミスト自体を３２〜３８テラヘルツの共鳴電磁波の転写体とすることを特徴とするミストサウナ装置に関するものである。
【背景技術】
【０００２】  従来、疲労回復や痩身や健康増進に高温サウナ装置が利用されてきた。【０００３】  また、体に対する負荷を軽減するため、４０度前後の低温のミストと遠赤外線を発射する岩盤と組み合わせたミストサウナも開発されている。
【特許文献１】特開２００７−１８５２０６
【特許文献２】実登３１２９４７６
【考案の概要】
【考案が解決しようとする課題】
【０００４】  高温のサウナは、温度が高すぎるため、体の負担が大きいことが問題となっている。【０００５】  また、遠赤外線を放射する岩盤と組み合わせた低温のミストサウナは、放射している電磁波の周波数が明確でないものが多く、効果に問題があった。
【課題を解決するための手段】
【０００６】  このような課題を解決するために本考案者は、３２〜３８テラヘルツの共鳴電磁波を、２〜１２時間、２０℃〜９０℃の温度条件下で、ケイ素を主成分とするジュエリーに照射することで、当該ジュエリーが当該共鳴電磁波の転写体となり、自らが当該共鳴電磁波の発射体となることを見出し、本考案をなすに至った。【０００７】  すなわち、本考案では、３２〜３８テラヘルツの共鳴電磁波を転写放射するジュエリーを、ミストサウナ用水の入った容器に入れ、当該ジュエリーから放射される当該共鳴電磁波を、当該水に照射することで、当該水の水分子の水素結合を共振作用により分解し、当該水を、酸化還元電位が還元側になり、ＰＨ値がアルカリ側になり、水分子クラスターが小さくなる活性水とする。【０００８】  水分子クラスターの小さくなった活性水は、通常の水よりも小さい気化熱で水蒸気化し、水蒸気となる。【０００９】  また、上記方法で活性化された水から発生する水蒸気は、当該水上記自体が、３２〜３８テラヘルツの共鳴電磁波の転写体となり、３２〜３８テラヘルツの転写共鳴電磁波を放射する活性水蒸気となる。【００１０】  また、当該活性水蒸気から放射される転写共鳴電磁波の周波数を３２〜３８テラヘルツとすることで、様々な物質の水素結合を共振励起して分離することができ、当該物質の内部エネルギーを高めることができる。
【考案の効果】
【００１１】  本考案によれば、還元電位が多きく、弱アルカリ性で、水分子クラスターの微細な活性水蒸気を発生できるミストサウナ装置を低コストで提供できる。【００１２】  本考案によれば、３２〜３８テラヘルツの共鳴電磁波を転写放射するジュエリーを、ミストサウナ用水の入った容器に入れておくだけで、当該共鳴電磁波を当該水に照射する。【００１３】  当該電磁波は、当該ミストサウナ用水の水素結合を共振励起し、当該水素結合を分離する。そして当該水素結合から放出された電子が高速で移動し、他の原子や分子と衝突することにより次々とカスケード的に電子（マイナスイオン）が大量に放出され、当該水を低分子量化し、酸化還元電位を還元側にし、ＰＨ値をアルカリ側にし、当該水を活性化する。【００１４】  当該活性水は、水分子クラスターが微細化し、通常の水よりも小さな気化熱で水蒸気化する。【００１５】  また、当該水蒸気自体も当該共鳴電磁波の転写体となり、３２〜３８テラヘルツの共鳴電磁波を転写放射するため、美容や健康を始めとしてさまざまな共鳴電磁波機能を有する活性水蒸気となる。【００１６】  また、本考案によるミストサウナの活性水蒸気は、水蒸気に触れる人に、約３０℃〜約６０℃の温度エネルギーに相当する３２〜３８テラヘルツの共鳴電磁波を放射し、活性水蒸気に触れる人体の水分の水素結合を共振励起し、当該水素結合を分離する。そして当該水素結合から放出された電子が高速で移動し、他の原子や分子と衝突することにより、衝突エネルギーが発生し、基礎体温を高め、免疫力を改善し、鼻炎や花粉症にも効果を発揮する。
【考案を実施するための形態】
【００１７】  以下、本考案の実施形態について図面を参照しながら詳細に説明する。
図１は、本考案のミストサウナ用水活性用ジュエリーの製造方法の概念を示す。
図２は、本考案のミストサウナ用水活性用ジュエリーの作用概念を示す断面図である。
図３は、本考案のミストサウナ用水活性用ジュエリーを使用するミストサウナ装置のシステムを示す。
図４は、本考案のミストサウナの作用のイメージを示す身体横断面図である。
【００１８】  図１に示すように、共鳴電磁波放射シート１の上に、ケイ素を主成分とするジュエリー２を密着させて置き、当該シート１から放射される３２〜３８テラヘルツの共鳴電磁波４を、当該ジュエリー２に２〜１２時間照射する。
【００１９】  当該共鳴電磁波放射シート１の下には２０℃〜９０℃の温度調節が可能なヒーター３が設けられていて、３２〜３８テラヘルツの共鳴電磁波４を当該ジュエリー２に効率良く照射できる。
【００２０】  図２に示すように、当該共鳴電磁波４を、２０℃〜９０℃の温度条件下で、２〜１２時間照射されたミストサウナ用水活性用ジュエリー１２をミストサウナ用水１１の入った容器１３に入れると、当該水１１の水分子クラスター１５を構成する水素結合が共振励起され、水素結合が分離し、水分子クラスターが微細化されるとともに、水素イオン１６と電子１７が水１１の中に放出される。
【００２１】  図２に示すように、水素結合の分離により放出された電子１７は高速で移動し、次々と分子や原子と衝突し、カスケード的に大量に電子が放出され、より水分子クラスターが微細化された活性水となる。
【００２２】  水分子クラスターが微細化した当該活性水は、通常の水よりも小さな気化熱で水蒸気になる。
【００２３】  本考案の方法により製造されたミストサウナ用水活性用ジュエリー１２を、水道水や市販のミネラル水や水素水で実験したところ、実験範囲のすべての種類の水が、酸化還元電位計の測定結果で、５０〜４００ｍＶ程度還元側に変化することで確認されている。
【００２４】  図３に示すように、ミストサウナ用水活性用ジュエリー１２をミストサウナ用水２２の入った、ミストサウナ用水タンク２１に入れると、当該ジュエリーから放射される共鳴電磁波は、ミストサウナ用水２２を活性化し、ヒーター２３で加熱することにより、活性水蒸気２４が発生する。
【００２５】  活性水蒸気２４は、チューブ２５を通ってミストサウナ室２７の吹き出し口２６から、ミストサウナ室２７に吹き出され、充満され、室内の人体２８に接触する。
【００２６】  吹き出し口２６には、ミストサウナ用水活性用ジュエリー１２が入っていて、通過する水蒸気を再度活性化する。
【００２７】  また、当該水蒸気２４自体も当該共鳴電磁波の転写体となり、約３０℃〜約６０℃の温度エネルギーに相当する３２〜３８テラヘルツの転写共鳴電磁波を放射し、当該活性水蒸気２４に触れる人体２８の水分の水素結合を共振励起し、当該水素結合を分離する。そして当該水素結合から放出された電子が高速で移動し、他の原子や分子と衝突することにより、衝突エネルギーが発生し、基礎体温を高め、免疫力を改善し、鼻炎や花粉症に効果を発揮する。
【００２８】  図４に示すように、本考案の活性水蒸気２４に触れると、活性水蒸気から３２〜３８テラヘルツの転写共鳴電磁波３２が人体２８に放射される。
【００２９】  人体２８に吸収された低分子量化された水分子クラスター３４から放射される転写共鳴電磁波３６で、体内の細胞組織や血流３５の水素結合が分離され、細胞組織が活性化され、血流が改善され、免疫力が向上すると同時に細胞組織が柔軟になり疼痛が緩和される。
【００３０】  また当該水分子クラスター３４から放射される３２〜３８テラヘルツの転写共鳴電磁波３６は、神経電子３７の円滑な伝搬等にも効果を発揮し、様々な神経症を改善する。
【００３１】  また、当該活性水蒸気の発振する共鳴電磁波３２は、当該水蒸気３１に触れる人体２８に浸透し、当該人体２８の筋肉細胞やその他の疲労蓄積等で硬化した細胞の水素結合を共振励起し、還元再生し、柔軟にすることで、疲労回復効果を発揮する。
【００３２】  また、当該活性水蒸気の共鳴電磁波３２は、当該活性水蒸気に触れる人体の余分な脂肪の水素結合を分断し低分子量化することで燃焼しやすくし、痩身効果を発揮する。
【実施例】
【００３３】  数多くの人たちの使用テストを通して下記の効果が確認されている。
＊基礎体温の上昇効果
＊疲労回復効果
＊老化防止効果
＊美肌効果
【産業上の利用可能な分野】
【００３４】  本考案は、美容効果ばかりでなく、免疫力改善等の医療健康分野でも利用できる。
【図面の簡単な説明】
【００３５】
【図１】は、本考案のミストサウナ用水活性用ジュエリーの製造方法の概念を示す。
【図２】は、本考案のミストサウナ用水活性用ジュエリーの作用概念を示す断面図である。
【図３】は、本考案のミストサウナ用水活性用ジュエリーを使用するミストサウナ装置のシステムを示す。
【図４】は、本考案のミストサウナの作用のイメージを示す身体横断面図である。
【符号の説明】
【００３６】１    共鳴電磁波放射原材料
２    ジュエリー
３    ヒーター
４    共鳴電磁波
１１  ミストサウナ用水
１２  ミストサウナ用水の活性用ジュエリー
１３  容器
１４  共鳴電磁波
１５  水分子クラスター
１６  水素イオン
１７  電子
２１  ミストサウナ用水タンク
２２  ミストサウナ用水
２３  ミストサウナ用水の活性用ジュエリー
２４  活性水蒸気
２５  チューブ
２６  活性水蒸気吹き出し口
２７  ミストサウナ室
２８  人体
３１  活性水蒸気
３２  活性水蒸気の共鳴電磁波
３３  人体
３４  水分子クラスター
３５  細胞水や血液
３６  転写共鳴電磁波
３７  神経電子
【図１】
0003212668.tif 000003
【図２】
0003212668.tif 000004
【図３】
0003212668.tif 000005
【図４】
0003212668.tif 000006